(57)【要約】      （修正有）【課題】電動足踏み機の構造を提供する。【解決手段】主に台座１と縦棒９、機械スタンド、左右のペダルスタンド４，５、左右の連動棒、振り棒１４、ベアリング組立部品１８、タービンボックスで構成したものである。台座の先端の中央に回転軸７、スウィング固定軸及び縦棒設置台を設置する。縦棒の下端を台座の縦棒設置台に固定する。スタンドを台座に設置し、スタンドの先端に管を設置し、該管を台座の回転軸に嵌合し、該管の上に横軸を設置する。左のペダルスタンドを前記横軸の左側に設置し、右のペダルスタンドを前記横軸の右側に設置する。左の連動棒の両端をそれぞれ左スタンドの先端と左のクランク１２に接続し、右の連動棒の両端をそれぞれ右スタンドの先端と右のクランク１３に接続する。振り棒の一端は関節ベアリング組立部品を通してからスウィング固定軸に固定し、別端は左クランクと接続する。ベアリング組立部品は左クランクと右クランクを接続し、該ベアリング組立部品に従動ギアを設置する。【選択図】図２
0003164528.tif 000002
【実用新案登録請求の範囲】
【請求項１】
台座、縦棒、機械スタンド、左右のペダルスタンド、左右の連動棒、振り棒、ベアリング組立部品、タービンボックスを含み、
台座を水平に地面に置き、先端の中央に回転軸、スウィング固定軸及び縦棒設置台を設置し、
縦棒の下端を台座の縦棒設置台に固定し、
スタンドを台座に設置し、スタンドの先端に管を設置し、該管を台座の回転軸に嵌合し、該管の上に横軸を設置し、
左のペダルスタンドを前記横軸の左側に設置し、
右のペダルスタンドを前記横軸の右側に設置し、
左の連動棒の両端をそれぞれ左スタンドの先端と左のクランクに接続し、
右の連動棒の両端をそれぞれ右スタンドの先端と右のクランクに接続し、
振り棒の一端は関節ベアリング組立部品を通してから台座のスウィング固定軸に固定し、別端は左クランクと接続し、
ベアリング組立部品は左クランクと右クランクを接続し、該ベアリング組立部品に従動ギアを設置し、
タービンボックスをスタンドの後部に設置し、接続している主動ギアはベルトによって、従動ギアと連動することを特徴とする電動足踏み機の構造。
【請求項２】
前記縦棒の上にハンドルを設置することを特徴とする請求項１記載の電動足踏み機の構造。
【請求項３】
前記タービンボックスは電機によって駆動することを特徴とする請求項１記載の電動足踏み機の構造。
【請求項４】
前記タービンボックスは電機によって駆動し、及び該電機は音源装置を外付けし、
該電機は該音源装置の音源シグナルの拍子或いは強弱によってコントロールされて、相応するリズムが生まれることを特徴とする請求項１記載の電動足踏み機の構造。
【請求項５】
前記電機と音源装置の外付け方法は、回路或いはコードレストランスミッションのいずれかであることを特徴とする請求項４記載の電動足踏み機の構造。
【考案の詳細な説明】
【技術分野】
【０００１】
本考案は健康器材の構造に関し、特に電動足踏み機の構造に関する。
【背景技術】
【０００２】
体を鍛える時間を作りにくいサラリーマンにとって、自分に合ったトレーニング方法を探している。しかし、多くの人は部屋が小さく、健康器材を置くスペースがないため、体積の小さい、運動効果のある足踏み機が案出された。“足踏み機”のようなトレーニング、ダイエットマシーンは、発売するや否や、大ブームとなった。
【０００３】
足踏み機の体積は小さく、単独でトレーニング、ダイエット、心肺機能を強化すると同時に、全身及び下肢の運動を行うことができる。足踏み機は有酸素運動となるため、従来の運動機械と比べ疲れにくい。足踏み機は主に下半身(臀部及び太もも)を鍛える機械であり、十分なトレーニングを行い、ダイエットすると共に、美しい下半身の曲線を作ることができる。踏むスピードを速くすると、心肺機能をトレーニングすることができ、心肺機能に与える刺激が温和である。足踏みを行うと同時に、腰をひねる動きをプラスすると、下腹部とウェストを引き締める。足踏みを行うと同時に、臀部に力を入れると、更にヒップアップ効果がある。また、足踏みを行うと、有効的に坐骨神経及び中枢神経を刺激し、素晴らしいトレーニング効果を得ることができる。足踏み機でトレーニングする際、同時に上半身と腕を動きに合わせて振ると、同じくトレーニングの効果を得ることができる。
【０００４】
従来技術の足踏み機はシリンダータイプであり、足踏みの回数はシリンダーの摩擦のよって制限され、足踏みのスピードに基づいて任意に調整することができないことを鑑みて、更なる改善が必要であった。
【先行技術文献】
【特許文献】
【０００５】
【特許文献１】特開２００８−５５０１１号公報
【考案の概要】
【考案が解決しようとする課題】
【０００６】
前記従来技術の欠点を解決するため、本考案の第１の目的は、電機の駆動により、ループの上下及びスウィング運動を実現し、素晴らしいトレーニング効果に達する足踏み機の構造を提供することにある。
本考案の第２の目的は、電機の駆動を通じて、外付けの音源のコントロールに合わせ、相応するリズムに達し、使用する際の楽しみを増やすことができる足踏み機の構造を提供することにある。
【課題を解決するための手段】
【０００７】
前記課題を解決するために、本考案は台座と縦棒、機械スタンド、左右のペダルスタンド、左右の連動棒、振り棒、ベアリング組立部品、タービンボックスを含む。台座を水平に地面に置き、先端の中央に回転軸、スウィング固定軸及び縦棒設置台を設置する。縦棒の下端を台座の縦棒設置台に固定する。スタンドを台座に設置し、スタンドの先端に管を設置し、該管を台座の回転軸７に嵌合し、該管の上に横軸を設置する。左のペダルスタンドを前記横軸の左側に設置し、右のペダルスタンドを前記横軸の右側に設置する。左の連動棒の両端をそれぞれ左スタンドの先端と左のクランクに接続し、右の連動棒１６の両端をそれぞれ右スタンドの先端と右のクランクに接続する。振り棒の一端は関節ベアリング組立部品を通してから台座のスウィング固定軸に固定し、別端は左クランクと接続する。ベアリング組立部品は左クランクと右クランクを接続し、該ベアリング組立部品に従動ギアを設置する。タービンボックスをスタンドの後部に設置し、接続している主動ギアはベルトによって、従動ギアと連動する。最良実施例の縦棒の上端にハンドルを設置する。
本考案は、下記の特徴を有する。
（１）台座、縦棒、機械スタンド、左右のペダルスタンド、左右の連動棒、振り棒、ベアリング組立部品、タービンボックスを含み、
台座を水平に地面に置き、先端の中央に回転軸、スウィング固定軸及び縦棒設置台を設置し、
縦棒の下端を台座の縦棒設置台に固定し、
スタンドを台座に設置し、スタンドの先端に管を設置し、該管を台座の回転軸に嵌合し、該管の上に横軸を設置し、
左のペダルスタンドを前記横軸の左側に設置し、
右のペダルスタンドを前記横軸の右側に設置し、
左の連動棒の両端をそれぞれ左スタンドの先端と左のクランクに接続し、
右の連動棒の両端をそれぞれ右スタンドの先端と右のクランクに接続し、
振り棒の一端は関節ベアリング組立部品を通してから台座のスウィング固定軸に固定し、別端は左クランクと接続し、
ベアリング組立部品は左クランクと右クランクを接続し、該ベアリング組立部品に従動ギアを設置し、
タービンボックスをスタンドの後部に設置し、接続している主動ギアはベルトによって、従動ギアと連動することを特徴とする電動足踏み機の構造。
（２）前記縦棒の上にハンドルを設置することを特徴とする（１）記載の電動足踏み機の構造。
（３）前記タービンボックスは電機によって駆動することを特徴とする（１）記載の電動足踏み機の構造。
（４）前記タービンボックスは電機によって駆動し、及び該電機は音源装置を外付けし、
該電機は該音源装置の音源シグナルの拍子或いは強弱によってコントロールされて、相応するリズムが生まれることを特徴とする（１）記載の電動足踏み機の構造。
（５）前記電機と音源装置の外付け方法は、回路或いはコードレストランスミッションのいずれかであることを特徴とする（４）記載の電動足踏み機の構造。
【０００８】
本考案の電動足踏み機の構造は精巧そのものであり、従来技術の足踏み機の機能設計と異なる。電機の駆動によって、ループの上下及びスウィング運動を実現し、ユーザーの足踏み速度に基づき、随意に調節することができ、トレーニング効果を高めると同時に、運動ダメージを減らすことができる電動足踏み機である。
【考案の効果】
【０００９】
電機の駆動によって、ループの上下及びスウィング運動を実現し、ユーザーの足踏み速度に基づき、随意に調節することができ、トレーニング効果を高めると同時に、運動ダメージを減らすことができる電動足踏み機である。
【図面の簡単な説明】
【００１０】
【図１】本考案における内部構造の略図である。
【図２】図１の分解略図である。
【考案を実施するための形態】
【００１１】
図１及び図２に示すように、台座１、縦棒９、スタンド２、左右のペダルスタンド４、５、左右の連動棒６、１６、振り棒１４、ベアリング組立部品１８、タービンボックス２２を含む。台座１を水平に地面に置き、先端の中央に回転軸７、スウィング固定軸８及び縦棒設置台１０を設置する。縦棒９の下端を台座１の縦棒設置台１０に固定する。スタンド２を台座１に設置し、スタンド２の先端に管３を設置し、該管３を台座１の回転軸７に嵌合し、該管３の上に横軸１５を設置する。左のペダルスタンド４を前記横軸１５の左側に設置し、右のペダルスタンド５を前記横軸１５の右側に設置する。左の連動棒６の両端をそれぞれ左スタンド４の先端と左のクランク１２に接続し、右の連動棒１６の両端をそれぞれ右スタンド５の先端と右のクランク１３に接続する。振り棒１４の一端は関節ベアリング組立部品５６を通してから台座１のスウィング固定軸８に固定し、別端は左クランク１２と接続する。ベアリング組立部品１８は左クランク１２と右クランク１３を接続し、該ベアリング組立部品１８に従動ギア７２を設置する。タービンボックス２２をスタンド２の後部に設置し、接続している主動ギア７１はベルト６９によって、従動ギア７２と連動する。
【００１２】
ユーザーが上肢運動しやすいように、図２に示すように、縦棒９の上端にハンドル１１を設置する。
【産業上の利用可能性】
【００１３】
本考案の電動足踏み機の作動原理は：電機７０が駆動することにより、タービンボックス２２にある主動ギア７１が回転し、ベルト６９によってベアリング組立部品１８の従動ギア７２も同時に回転する。互いに接続している左クランク１２が左連動棒６を動かすことで、左ペダルスタンド４は横軸１５を定点に上下運動を行う。同じく、右クランク１３が右連動棒１６を動かすことで、右ペダルスタンド５が横軸１５を定点に上下運動を行う。左ペダルスタンド４が下向きに動く際、左連動棒６、左クランク１２と接続する振り棒１４がその力を受けて、関節ベアリング組立部品５６を通じて、台座１にあるスウィング固定軸８の働きにより、左ペダルスタンド４が横軸１５を定点に下向きに動き、スタンド２は台座１の回転軸７を定点に左に動く。同時に左クランク１２、右クランク１３と回転軸７の動きにより、右ペダルスタンド５は左ペダルスタンド４と相対するスウィング運動が生じる。よって、電機の駆動により、ユーザーが左右のペダルスタンドに立つと、ループの上下及びスウィング運動を行うことができる。
【００１４】
更に本考案の電機７０の駆動により、タービンボックス２２にある主動ギア７１が回転し、該回転の速度率７０は、該電機７０と外付けする音源装置(デジタルウォークマンやＭＰ３、ＭＰ４など)に利用することができる。該音源装置(図に未掲載)は回路或いはコードレストランスミッションを使って音源シグナルを電機７０に送り、電機７０は該音源シグナルの拍子或いは強弱によってコントロールされて、相応するリズムが生まれる。ユーザーの操作時の楽しみを増やすことができる。
【符号の説明】
【００１５】
１  台座
２  スタンド
３  管
４  左ペダルスタンド
５  右ペダルスタンド
６  左連動棒
７  回転軸
８  スウィング固定軸
９  縦棒
１０  縦棒設置台
１１  ハンドル
１２  左クランク
１３  右クランク
１４  振り棒
１５  横軸
１６  右連動棒
１８  ベアリング組立部品
２２  タービンボックス
５６  関節ベアリング組立部品
６９  ベルト
７０  電機
７１  主動ギア
７２  従動ギア
【図１】
0003164528.tif 000003
【図２】
0003164528.tif 000004